(57)【特許請求の範囲】
【請求項１】
建物内の各種設備の排水管に真空弁を取り付け、真空弁の下流側の配管を真空配管として室内を這い回した後に真空式集水タンクに接続し、前記真空弁を開くことで各種設備で排水された水を真空式集水タンクに吸引する建物内真空排水収集システムにおいて、
前記室内を這い回す真空配管の所定部分に排水逆流防止用の逆止弁を取り付けたことを特徴とする建物内真空排水収集システム。
【請求項２】
前記室内を這い回す真空配管には、他の部材を回避する上越し部を設け、前記逆止弁はこの上越し部の部分に取り付けたことを特徴とする請求項１記載の建物内真空排水収集システム。
【請求項３】
前記逆止弁の吐出側に真空取出口を設け、この真空取出口から取り出した真空を真空弁開閉用動力として真空弁に供給することを特徴とする請求項１又は２記載の建物内真空排水収集システム。
【請求項４】
前記逆止弁としてフラップ弁を使用したことを特徴とする請求項１又は２又は３記載の建物内真空排水収集システム。
【発明の詳細な説明】
【０００１】
【発明の属する技術分野】
本発明は、各種建物内の排水を、大気圧と真空との差圧を利用して搬送する建物内真空排水収集システムに関するものである。
【０００２】
【従来の技術】
従来、集合住宅、事務所、ホテル、病院、店舗、遊戯施設（テーマパーク、劇場等）等の各種建物内の排水の収集は、重力と配管勾配による自然流下方式で行なわれていた。即ち図４に示すように排水源であるトイレの便器８０や手洗い８１や厨房のシンク８３などの排水管８０１，８１１，８３１を排水横枝管８５に接続し、この排水横枝管８５を排水立て管８７に接続し、その際排水横枝管８５内の排水が自然流下で排水立て管８７に流れ込むように排水横枝管８５に所定の下り傾斜を設けて構成している。しかしながら上記自然流下方式では、以下のような設計、施工及び維持管理上の問題点があった。
【０００３】
▲１▼排水横枝管８５が勾配を必要とするため、排水横枝管８５が水道管やガス管、空調ダクト、各種ケーブル等を途中で横断する必要が生じた場合には、常に排水横枝管８５を下側にして回避する必要があり、天井裏や床スラブ下の限られた配管スペースではその敷設が困難であった。
【０００４】
▲２▼排水管が破損した場合には漏水し、他の各種配管や空調ダクト、各種ケーブル等に悪影響を及ぼしてしまう。
【０００５】
そして上記問題点を解決する排水収集システムとして真空排水収集システムがあるが、このシステムを用いた場合でも以下のような技術的問題点があった。
【０００６】
▲３▼排水の搬送効率を上げるために真空配管も微小な勾配を必要とし、また勾配を設けない場合には図５に示すように真空配管９０の途中に下に凸となる屈曲部９１を設けてここで排水の逆流を防止する必要があるので、前記自然流下式ほどではないにしろ、他の各種配管、空調ダクト、各種ケーブル等と共に限られた配管スペース内に敷設することに限界があった。
【０００７】
▲４▼逆流防止のための勾配や屈曲部をなくすために真空配管中に逆止弁を設置する方法も考えられるが、逆止弁の上流側に圧力損失が生ずる状況下では、上流側に設置された真空弁の作動が不安定になる恐れがあった。
【０００８】
【発明が解決しようとする課題】
本発明は上述の点に鑑みてなされたものでありその目的は、建物内の各種配管、ダクト、ケーブル等を容易に回避できる建物内真空排水収集システムを提供することにある。
【０００９】
また本発明の目的は、真空配管の勾配をなくして水平に敷設した場合でも、排水の逆流を防止でき、また真空弁も安定して動作させることができる建物内真空排水収集システムを提供することにある。
【００１０】
【課題を解決するための手段】
上記問題点を解決するため本発明は、建物内の各種設備の排水管に真空弁を取り付け、真空弁の下流側の配管を真空配管として室内を這い回した後に真空式集水タンクに接続し、前記真空弁を開くことで各種設備で排水された水を真空式集水タンクに吸引する建物内真空排水収集システムにおいて、前記室内を這い回す真空配管の所定部分に排水逆流防止用の逆止弁を取り付けたことを特徴とする。
【００１１】
また本発明は、前記室内を這い回す真空配管に、他の部材を回避する上越し部を設け、前記逆止弁はこの上越し部の部分に取り付けたことを特徴とする。
【００１２】
また本発明は、前記逆止弁の吐出側に真空取出口を設け、この真空取出口から取り出した真空を真空弁開閉用動力として真空弁に供給することを特徴とする。
【００１３】
また本発明は、前記逆止弁としてフラップ弁を使用したことを特徴とする。
【００１４】
【発明の実施の形態】
以下、本発明の実施の形態を図面を参照して詳細に説明する。
図１は本発明にかかる建物内真空排水収集システムの一実施形態を示す図である。同図に示すようにこの建物内真空排水収集システムは、排水源であるトイレの便器６０や手洗い６５や厨房のシンク７０などの排水管６１，６６，７１にそれぞれ真空弁ユニット１０−１，２，３を接続している。各真空弁ユニット１０−１，２，３は、それぞれ汚水ます１１と真空弁２０とを具備して構成されている。ここで汚水ます１１は排水源からの排水を自然流下で溜めるものである。
【００１５】
そして各真空弁２０の下流側に接続する配管２１を真空配管として立ち上げて、室の天井裏に設置した真空配管からなる排水横枝管２３に接続している。排水横枝管２３は真空配管からなる排水立て管２５に接続され、真空ステーションに設置する真空式集水タンク３０に接続される。真空式集水タンク３０には、その内部を真空にする真空ポンプＰ１と、集めた水を例えば公共下水道や汚水処理設備などに搬送する排水ポンプＰ２とが接続されている。
【００１６】
そして配管２１の排水横枝管２３に接続する部分近傍には、それぞれ逆止弁３５が取り付けられ、排水横枝管２３側から配管２１に排水が逆流しないようにしている。
【００１７】
一方排水横枝管２３は、天井裏を略水平面方向に這い回されており、天井裏にある給水管やガス管等の配管４０や空調用等の各種のダクト４１や図示はしないが電気・電話・通信・警報・監視等のケーブル等の他の部材を途中で横断する必要がある場合は、上越し部２４を設けてこれら他の部材を回避してそのまま水平の位置を維持し（元の高さに戻して水平にしても良い）、同時にこれら上越し部２４の部分（リフトした部分）に上越し部２４の部分の水が上流側に逆流するのを防止する逆止弁３７を取り付けている。図２は上越し部２４の部分の要部拡大概略図である。同図に示すように本発明においては、他の配管４０やダクト４１等の他の部材の回避を容易にするために、上越しと水平敷設が可能な真空配管を用い、逆止弁３７を設置することで逆流を防止するように構成したのである。
【００１８】
図３は逆止弁３５，３７の内部構造を示す拡大断面図である。同図に示すように逆止弁３５，３７は、管５０の内部に設けられるリング状の弁座５１と、この弁座５１を軸５４を中心にフラップ状に開閉する弁体５３と、弁体５３の吐出側（下流側）上部に設けられて真空弁作動用の真空を取り出すノズル状の真空取出口５５とを具備して構成されている。図示のごとく逆止弁３５，３７は部品点数が少なく構造が簡単なフラップ弁を使用しているので、小型・軽量化が図れ、建物内の配管設備に容易に適用できる。
【００１９】
真空取出口５５は図１に示す配管５７によって真空弁２０に接続されており、これによって真空取出口５５から取り出した真空を真空弁開閉用動力としている。これによって例え真空弁２０の直後に配管２１のようなリフトを設けている場合でも、逆止弁３５又は３７の吐出側から真空弁２０作動用の真空を供給できるため、真空弁２０の常に安定した作動が図れる。なおこの実施形態の場合、各真空弁２０への真空の供給を逆止弁３５の真空取出口５５から行うようにしているので、逆止弁３７の真空取出口５５は使用しない。この場合は逆止弁３７の真空取出口５５を塞いでおけば良い。なお逆に逆止弁３５の代りに逆止弁３７の真空取出口５５を使用してもよいことは言うまでもない。
【００２０】
また必要に応じて前記他の部材４０，４１を下越しによって回避しても良い。下越しの場合でも真空式ではリフト（上り勾配の配管）を設置することが可能なため、元の高さに容易に戻すことができ、従って排水横枝管２３を一定の高さ範囲内で敷設することができる。
【００２１】
以上のように排水横枝管２３を略水平に敷設し、また他の部材４０，４１を上越し及び／又は下越しするように構成したので、天井裏でしかも多数の他の部材が設置されていて限られた配管スペースしかない場合でも、その敷設を容易に行うことができる。
【００２２】
そして例えば図１に示す何れかの汚水ます１１に所定量の汚水が溜まると、真空弁２０が開いてその汚水は配管２１から排水横枝管２３、排水立て管２５を介して真空式集水タンク３０内に導入される。なお水の逆流を生じる恐れのある部分には前述のようにそれぞれ逆止弁３５，３７を取り付けているので、例え排水横枝管２３が水平に設置されていても汚水の逆流を防ぎながら効率的な搬送を行なうことができる。
【００２３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では真空弁ユニット１０−１，２，３から吸引された排水を天井裏の配管スペースに導いたが、天井裏の代りに床スラブの下の配管スペースに導いても良い。即ちこの場合は床スラブの下の配管スペースに排水横枝管２３等の真空配管を設置する。
【００２４】
【発明の効果】
以上詳細に説明したように本発明によれば以下のような優れた効果を有する。▲１▼建物内の各種設備から出る排水の排水処理システムを、真空弁と真空配管とを具備する真空排水収集システムで構成し、また真空配管の所定部分に排水逆流防止用の逆止弁を取り付けたので、真空配管の勾配のない水平敷設と、他の部材の回避とが容易に行なえ、狭い配管スペースにも真空配管を敷設することができ、このため建設費の低減化も図れる。
【００２５】
▲２▼水平敷設した真空配管内での逆流がなくなり、排水の搬送効率が上がるため、真空式集水タンクに設置する真空ポンプの機器容量を小さくでき、また運転時間を短くできるため経済的なシステムになる。
【００２６】
▲３▼逆止弁の吐出側に設けた真空取出口から取り出した真空を真空弁開閉用動力として真空弁に供給することとしたので、真空弁の作動が安定する。
【００２７】
▲４▼逆止弁としてフラップ弁を使用した場合は構造が簡単なため従来の逆止弁に比べて小型・軽量化が図れ、部品点数を減らすことができ、逆止弁の設置及び維持管理が容易になる。
【図面の簡単な説明】
【図１】本発明にかかる建物内真空排水収集システムの一実施形態を示す図である。
【図２】上越し部２４の部分の要部拡大概略図である。
【図３】逆止弁３５，３７の内部構造を示す拡大断面図である。
【図４】従来の自然流下式の配管例を示す図である。
【図５】従来の逆流防止のための真空配管形状を示す図である。
【符号の説明】
１０−１，２，３  真空弁ユニット
１１  汚水ます
２０  真空弁
２１  配管（真空配管）
２３  排水横枝管（真空配管）
２４  上越し部
２５  排水立て管（真空配管）
３０  真空式集水タンク
Ｐ１  真空ポンプ
Ｐ２  排水ポンプ
３５，３７  逆止弁
４０  配管
４１  ダクト
５０  管
５１  弁座
５３  弁体
５５  真空取出口
５７  配管
６０  便器（各種設備）
６１  排水管
６５  手洗い（各種設備）
６６  排水管
７０  シンク（各種設備）
７１  排水管
【図１】
0003751832.tif 000002
【図２】
0003751832.tif 000003
【図３】
0003751832.tif 000004
【図４】
0003751832.tif 000005
【図５】
0003751832.tif 000006